(57)【要約】  ピルなどのための容器であって、シェル、シェルのための閉鎖部、閉鎖部のためのシェル内の回転軸部１２、およびシェルの表面上のポイント、を具備し、回転軸部１２は、閉鎖部がシェルを密封する閉鎖位置と、ピルなどをシェルの内部から開口を通して供給することが可能な開封位置との間を揺動するよう軸の周りを回転するために設けられ、閉鎖位置に閉鎖部を確実に保持するよう設けられた係合部（ボタン１７により係合しなくなる）が有り、係合部を解放して、閉鎖部を閉鎖位置から開封位置へ揺動可能とする圧力がポイントに加えられる。容器の目的は、容器内の薬剤に子供がアクセスすることを防止することであり、一方お年寄りや身体の弱い大人たちにその薬剤に容易にアクセスできることである。
2007529376.tif 000002
【特許請求の範囲】
【請求項１】
ピルなどのための容器であって、外面上の対向する２つの位置の間に加えられる圧縮力により解除される閉鎖部を有し、その閉鎖部が、解除された後、圧縮力に直角な圧力を加えることにより開封されうる状態となり、その圧力により閉鎖部が圧縮力の方向に平行な軸の周りを回転して、容器の内部に通じる開口が開かれるよう構成された容器。
【請求項２】
ピルなどのための容器であって、シェル、そのシェルのための閉鎖部、その閉鎖部のためのシェル内の回転軸部、およびシェルの表面上のポイント、を具備し、回転軸部は、閉鎖部がシェルを密封する閉鎖位置と、ピルなどをシェルの内部から開口を通して供給することが可能な開封位置との間を揺動するよう軸の周りを回転するために設けられ、閉鎖位置に閉鎖部を確実に保持するよう設けられた係合部を有し、係合部を解放して、閉鎖部を閉鎖位置から開封位置へ揺動可能とする圧力がポイントに加えられるよう構成された容器。
【請求項３】
閉鎖部を閉鎖位置に保持するために２つの対向する係合部と、そして係合部を解放し、閉鎖部を閉鎖位置から開封位置へ揺動可能とする圧力が加えられる、シェルの表面上の２つの対向するポイントと、を有する請求項２において請求された容器。
【請求項４】
閉鎖部材を解除するために圧力が直接的に加えられる前記請求項のいずれか一つに請求された容器。
【請求項５】
閉鎖部を解除するために適切な屈曲可能なポイントまたは外側部分のポイントまたは容器の部分または容器シェルを通して圧力が加えられる請求項１乃至３のいずれか一つに請求された容器。
【請求項６】
開口が、圧力が加えられる位置に対して前記軸の反対側にある前記請求項のいずれか一つに請求された容器。
【請求項７】
容器は、ピルやピルの一部を安全に保存するために協動して密閉可能である小さな空間を有する前記請求項のいずれか一つに請求された容器。
【請求項８】
小さな密閉可能な空間が閉鎖部に配置された請求項７に請求された容器。
【請求項９】
子供安全性を高めるために閉鎖部材の背面に追加のボタンがある前記請求項のいずれか一つに請求された容器。
【請求項１０】
スリーブまたはチャンネルが容器を保持し、そして容器内に収納されるピルに関する連絡や説明をかかげるために使用される前記請求項のいずれか一つに請求された容器。
【請求項１１】
容器の２つのハーフ部分を互いに近接して配置し、閉鎖部が揺動できるように閉鎖部を部品の間に保持する工程、そしてスリーブまたはチャンネルで２つのハーフ部分をロックする工程、を有する前記請求項のいずれか一つに請求された容器の形成方法。
【請求項１２】
２つのハーフ部分が屈曲可能なヒンジラインに沿って一緒に接続されており、その結果ヒンジラインの周りで２つのハーフ部分を一緒に折り曲げることにより互いに近接して配置できる請求項１１に請求された方法。
【請求項１３】
２つのハーフ部分が分割物として互いに近接して配置される請求項１１に請求された方法。
【請求項１４】
添付図面の図１から７、または図８と９、または図１０と１１、そして図１２と１３を参照し、そして示されたように、例として実施例で実質的に述べた容器。
【請求項１５】
請求項１から９および１４において請求した容器を形成するための方法であり、添付図面の図１４から１６、または図１７から１９を参照した例として実施例において実質的に述べた容器を形成するための方法。
【発明の詳細な説明】
【技術分野】
【０００１】
本発明はピル用容器に関し、そしてそのような容器を形成するための方法に関する。
【背景技術】
【０００２】
小さい子供たちの安全のための関心が、ピル、カプセル、タブレットの形式における薬剤のための多くの『子供安全』容器の開発に導いている。そのような容器の例としては、英国特許の第１，５２７，８１２号明細書と第２，３１９，２４４号明細書、および米国特許の第３，９２３，１８０号明細書と第５，５７５，３９９号明細書に記載され示されている。
【０００３】
『子供安全』容器の公知の例では、他の人たちのために処方された薬剤を収納した容器にアクセスして手に入れた小さい子供たちに事故的な中毒からの死亡率を低下させることに成功している。そのような『子供安全』容器の開封には、手先の器用さとある程度の肉体的な力の両方を必要としており、そして、（例えば押してから回すというような）２段階の操作のような経験に基づく知能を必要とするかもしれない。器用さと力とを組み合わせた要求が、小さい子供たちの能力を超えて、そのような容器を開封している。
【特許文献１】英国特許第１，５２７，８１２号明細書
【特許文献２】英国特許第２，３１９，２４４号明細書
【特許文献３】米国特許第３，９２３，１８０号明細書
【特許文献４】米国特許第５，５７５，３９９号明細書
【特許文献５】米国特許第５，９３４，４９２号明細書
【特許文献６】米国特許第６，１１２，９２０号明細書
【発明の開示】
【発明が解決しようとする課題】
【０００４】
にもかかわらず、薬剤が処方されている多くの病人は、老齢であり、病弱であり、または『子供安全』容器を開封する能力を減じている状態（例えば関節炎）から苦痛である。このことは、公知の『子供安全』容器から薬剤を取り出すために手に十分な器用さを持たない老齢者、および／または十分な力を持たない老齢者にとって、容易に薬剤にアクセスすることが注目される事項になる。
【０００５】
これらの注目事項は、米国特許の第５，９３４，４９２号明細書と第６，１１２，９２０号明細書の中において扱われている。これら両方の明細書では、容器の本体にアクセスするためにキャップの開封を扱っている。米国特許第５，９３４，４９２号明細書において、キャップは大人の指の大きさによる取り扱いにより脱着可能である。小さな子供の指は、キャップを外すために機械的なロック装置を駆動するには小さすぎる。米国特許第６，１１２，９２０号明細書において、キャップは、下方向への押圧動作と、反時計方向への回転との組み合わせにより取り外される構造である。両方の明細書において、容器を密封しているキャップの全体を外すために、大きな圧力を加えることによりピルにアクセスすることができる。これらの明細書のいずれも、小さな子供たちによるピルに対するアクセスを制限しているが、老齢者によりピルを供給するための機構を開示していない。
【課題を解決するための手段】
【０００６】
本発明は、ピルなどのための容器であって、外面上の対向する２つの位置間に加えられる圧縮力により解除される閉鎖部を有し、その閉鎖部が、解除された後、圧縮力に直角な圧力を加えることにより開封され得る状態となり、その圧力により閉鎖部を圧縮力の方向に平行な軸の周りに回転して、容器の内部に通じる開口が開かれる。
【０００７】
また、本発明は、ピルなどのための容器であって、シェル、そのシェルのための閉鎖部、その閉鎖部のためのシェル内の回転軸部、およびシェルの表面上のポイント、を具備し、
回転軸部は、閉鎖部がシェルを密封する閉鎖位置と、ピルなどをシェルの内部から開口を通して供給することが可能な開封位置との間を揺動するよう軸の周りを回転するために設けられ、閉鎖位置に閉鎖部を確実に保持するよう設けられた係合部を有し、係合部を解放して、閉鎖部を閉鎖位置から開封位置へ揺動可能とする圧力がポイントに加えられる。
【０００８】
閉鎖部を閉鎖位置に保持するために２つの対向する係合部と、そして係合部を解放し、閉鎖部を閉鎖位置から開封位置へ揺動可能とする圧力が加えられる、シェルの表面上の２つの対向するポイントと、を有すると好ましい。
【０００９】
１つの形式においては、閉鎖部材を開放するために圧力が直接的に加えられる。他の形式においては、閉鎖部を解除するために適切な屈曲可能なポイントまたは外側部分のポイントまたは容器の部分または容器シェルを通して圧力が加えられてもよい。
【００１０】
開口は、圧力が加えられる位置に対して軸の反対側にあることが好ましい。
容器は、ピルやピルの一部を安全に保存するために協動して密閉可能である小さな空間を有することが好ましい。
小さな密閉可能な空間が閉鎖部に配置されることが更に好ましい。
【００１１】
一つの好ましい構成においては、子供安全性を高めるために閉鎖部材の背面に追加のボタンがある。
他の好ましい構成においては、スリーブまたはチャンネルが容器を保持し、そして容器内に収納されるピルに関する連絡や説明書をかかげるために使用される。
【００１２】
本発明は、また上記の容器の形成方法を提供しており、この方法は、容器の２つのハーフ部分を互いに近接して配置し、閉鎖部が揺動できるように閉鎖部を部品の間に保持する工程、そしてスリーブまたはチャンネルで２つのハーフ部分をロックする工程、を有する。
【００１３】
方法の１つの好ましい形式において、２つのハーフ部分が屈曲可能なヒンジラインに沿って一緒に接続されており、その結果ヒンジラインの周りで２つのハーフ部分を一緒に折り曲げることにより互いに近接して配置できる。
方法の他の形式において、２つのハーフ部分が分割物として互いに近接して配置される。
【発明を実施するための最良の形態】
【００１４】
ピル、カプセル、タブレットなどの容器は、図１から６に示されている。容器は、閉鎖部材１１が載置された空洞のシェル１０を有している。閉鎖部材１１は、シェルを密封する閉鎖位置と、シェルの内部から調合されたピルなどを供給することが可能な開封位置との間を移動するように、トラニオン（回転軸部）１２（図６および７に最善が示されている）間の軸上を揺動するよう配置されている。図１から４に示すように、容器は平坦な水平面上に起立しており、トラニオン１２は水平軸上にある。
【００１５】
閉鎖部材１１が閉鎖位置にあるとき、閉鎖部材１１のシールド部分１４はシェル１０の頂上にあるノッチ１５を塞いでいる。閉鎖部材１１が開封位置にあるとき、シールド部分１４はノッチ１５を通してシェル１０の内部に対してアクセスできるよう持ち上げられる。したがって、閉鎖部材１１を揺動することにより、ピルはシェル１０の内部から供給され得る。
【００１６】
小さな子供たちによりピルに対して無断でアクセスすることを防止するため、この容器はロック機構を有している。ロック機構は、シェル１０の表面上に２つの対向ポイントを具備している。このポイント１６はプラスチックシェルの非常に薄い層として形成されており、そして内側方向（即ち、互いに向かい合う方向）に移動できるように十分な屈曲性を有している。閉鎖部材１１において、短い屈曲可能な帯体１８により閉鎖部材１１から吊設された従属ボタン１７が形成されている。帯体１８の屈曲性は、シェル１０の内部に向かってボタン１７を一方にそらせて、ポイント１６に圧力を加えることを可能としている。ボタン１７を内側方向へそらせることにより、ボタン１７が係合部と係合しなくなる（図１から７には示されていないが、容器の別の例に関連する図１２と１３に表示されている）。他の形式において、ポイント１６は、ボタン１７に直接アクセスできる開口孔に形成されていてもよい。
【００１７】
したがって、ピルを供給するための容器の動作は、図５に示されているように、２段階の手順である。まず第１に、対向するポイント１６は圧力Ａにより互いに向かい合う方向に押圧される。これは、ボタン１７を係合部から解放する。第２に、ポイント１６に近い閉鎖部材１１の端部への下方向への圧力Ｂが、閉鎖部材１１をトラニオン１２の周りを揺動することを可能とし、それによりピルを供給できるようにノッチ１５が開放される。動作の詳細なモードにおいて、ピルを供給したい人は、片手で容器を持ち上げ、親指と中指を使用して圧力Ａを加え、そしてそこで、閉鎖部材がロック解除されたとき、人差し指で下方向へ圧力Ｂを加えることにより閉鎖部材１１を開封する。そこで、容器を逆さまにしてピルが供給される。
【００１８】
片手動作を行っているときに、互いに直角な２つの優しい圧力を連続的に加えることは、まだ小さい子供たちの能力を超える大人の知的な処理を要求するものである。また、両手動作でも可能である。
【００１９】
使用者が通常サイズのピルの半分に含まれている服用量だけを必要とするような状況を可能とするために、使用されない半分のピルを一時的に保持するための対策がなされている。特に、図２，６および７に示されているように、シールド部分１４に近い閉鎖部分１１の端部は、小さな密閉可能な空間２０を有している。この空間２０は蓋１９により密封される。蓋１９は、短い屈曲可能な帯体２１により閉鎖部材１１上にちょうつがいで動くように設けられている。帯体２１は、使用者が必要とするかもしれない１個のピルまたは半分のピルの挿入または取り出しができるように、蓋１９が空間２０から上方に動くことが可能である。
【００２０】
発明に係る容器の２つの変形例が、図８と９、および図１０と１１にそれぞれ示されている。
【００２１】
図８と９はトラニオン３２の周りを揺動可能である閉鎖部材３１と協動するシェル３０を示している。シェルはノッチ３５を有しており、そして閉鎖部材３１はシールド部分３４を有している。圧力Ｂ’による閉鎖部材の押し下げられている閉鎖部材３１のロック解除状態は（図８および９には示されていない）、シェル３０の内部からピルの供給を可能とする。ロック機構がないので、この変形例は子供にとって安全なものではない。
【００２２】
図１０および１１は、子供安全の追加の特徴を有する、本発明に係る容器の第２の変形例を示している。この変形例において、シェル４０は閉鎖部材４１を有しており、ロック解除された後、そして追加のボタン５０の押し下げ後、シェル４０内からピルの供給を可能とするように、圧力Ｂ’’が（図１１に示されているように）閉鎖部材を反時計方向に揺動する。
【００２３】
図１２および１３において、シェル４０は開口４６ａを有しており、その開口４６ａを通して、ボタン４７が閉鎖部材４１を解放するようにシェル４０を通して内側に押圧され得る。図１２は、圧力Ａ’’により一緒に押圧されるボタン４７を示しており、図１３は圧力Ｂ’’により押し下げられている閉鎖部材４１を示している。この変形例において、圧力Ａ’’がボタン４７に直接的に加えられる構成であるので、図１から７に示した実施例の屈曲可能なポイント１６は必要としない。
【００２４】
２つの従属ボタンと共に２つの対向ポイントを設けることは、本発明に係る容器の動作にとって必須ではない。ボタンを係合部から解放するに十分な屈曲性を有する１つのポイント、または係合部から解放するために直接的に動作する１つのボタンが、各容器における閉鎖部材のロック解除のために使用できるであろう。
【００２５】
本発明に係る容器のための２つの組立方法が、図１４から１６、および図１７から１９にそれぞれ示されている。両方の方法は、図１から７に示された容器に関連して説明される。
【００２６】
図１４と１５に示されているように、シェル１０は、屈曲可能なヒンジライン２２に沿って接続されている２つのハーフ部分１０ａと１０ｂにモールド成形されている。容器は、ハーフ部分１０ａと１０ｂが共に上方に軸回転することにより組み立てられる。２つのハーフ部分は互いに近いので、閉鎖部材１１はそれらの間に配置され、その結果トラニオン１２がシェル１０の内側にある軸止め穴（図示なし）に係合する。２つのハーフ部分１０ａと１０ｂは、互いに強制的に合わされて、屈曲可能なポイント１６に近接したボタン１７を保持している。そこで、Ｕ型チャンネル２３は、これらのハーフ部分１０ａ，１０ｂが互いにいつまでも接触を保持するように、ハーフ部分１０ａ，１０ｂを覆うように挟み付けている（図１６に示す）。特に、図１，２および３に示すように、Ｕ型チャンネル２３は、宣伝用資料、および／または容器内に保持されるピルの内容の説明や適用量をかかげるために用いられるかもしれない。したがって、単体モールド成形された単体シェル１０が、容器内の特定のピルを識別するために用いられるチャンネル２３により、多くの異なったピルのために用いることができるであろう。
【００２７】
他の組立方法は図１７から１９に示されている。この例においては、シェルの２つのハーフ部分はばらばらの別個の部品として形成されている（即ち、如何なるヒンジライン２２にも接続されていない）。図１４から１６に示されている方法で、２つのハーフシェル１０ａと１０ｂは閉鎖部１１の周りに一緒に配置されている。そこで、Ｕ型チャンネル２３はこれらのハーフ部分がたがいにいつまでも接触を保持するようにハーフ部分を覆うように挟み付けている。
【００２８】
容器の目的は、容器内の薬剤に対して子供によるアクセスを防止することであり、一方お年寄りや身体の弱い大人たちにはこれらの薬剤に対して容易にアクセスすることができることである。
【図面の簡単な説明】
【００２９】
本発明の詳細の実施例およびその変形例を、添付の図面を参照して一例として説明する。
【図１】図１は、ピルなどのための容器を一方の側面から、そして多少上方から見た図である。
【図２】図２は、小さな密封可能な空間が開いた容器を一端から、そして上方から見た図である。
【図３】図３は、側面図である。
【図４】図４は、端面図である。
【図５】図５は、容器の操作性を示す同様の端面図である。
【図６】図６は、操作可能な部品を示す、容器の透視図である。
【図７】図７は、容器のための閉鎖部を示す斜視図である。
【図８】図８は、容器の子供安全機能のない変形例の頂部の略図である。
【図９】図９は、容器を介する垂直部分を示す横断面図である。
【図１０】図１０は、追加の子供安全機能を示す、容器の別の変形例の頂部の略図である。
【図１１】図１１は、図１０に示した変形例の頂部を介する垂直部分を示す横断面図である。
【図１２】図１２は、容器を介する横断面を示しており、閉鎖状況における容器を確実に維持するために係合部の操作性を示す横断面図である。
【図１３】図１３は、容器を介する横断面を示しており、閉鎖状況において容器を確実に安全に確保するために係合部の操作性を示す横断面図である。
【図１４】図１４は、図１から６に示された容器の組立における第１の段階を示すダイアグラムである。
【図１５】図１５は、容器の組立における段階を示す他のダイアグラムである。
【図１６】図１６は、容器の組立における第２の段階を示すダイアグラムである。
【図１７】図１７は、図１４に対応するダイアグラムであり、他の組立方法を示す。
【図１８】図１８は、図１５に対応するダイアグラムであり、他の組立方法を示す。
【図１９】図１９は、図１６に対応するダイアグラムであり、他の組立方法を示す。
【図１】
2007529376.tif 000003
【図２】
2007529376.tif 000004
【図３】
2007529376.tif 000005
【図４】
2007529376.tif 000006
【図５】
2007529376.tif 000007
【図６】
2007529376.tif 000008
【図７】
2007529376.tif 000009
【図８】
2007529376.tif 000010
【図９】
2007529376.tif 000011
【図１０】
2007529376.tif 000012
【図１１】
2007529376.tif 000013
【図１２】
2007529376.tif 000014
【図１３】
2007529376.tif 000015
【図１４】
2007529376.tif 000016
【図１５】
2007529376.tif 000017
【図１６】
2007529376.tif 000018
【図１７】
2007529376.tif 000019
【図１８】
2007529376.tif 000020
【図１９】
2007529376.tif 000021
【国際調査報告】
2007529376.tif 000022
2007529376.tif 000023
2007529376.tif 000024
2007529376.tif 000025
2007529376.tif 000026